(57)【要約】【課題】本発明は移動通信システムにおける無線基地局の負荷制御方式に関し，無線基地局のエリアによる負荷の変動に対して複数の無線基地局の間で負荷を調整できて，処理資源を有効に利用できることを目的とする。【解決手段】各無線基地局は複数の無線部と，無線制御装置と，複数の無線部と無線制御装置との接続を切替える無線部スイッチとを備え，無線網制御装置は，無線基地局から配下の携帯端末の状況を表す情報を定期的に収集し，収集情報に基づいて無線基地局の必要処理量を予測し，無線基地局の処理能力が余剰または不足であると予測されると，その無線基地局の無線制御装置で処理を行う無線部の数の低減か，増加の指示を行い，指示を受けた無線基地局は，指示に基づいて無線部スイッチを制御し，必要なセクタに対応する無線部を自局の無線制御装置に接続し，使用しないセクタに対応する無線部を閉塞するよう構成する。【選択図】図１
2007228213.tif 000002
【特許請求の範囲】
【請求項１】
複数セクタの携帯端末と通信を行う複数の無線基地局の上位に設けられ複数の無線基地局を制御する無線網制御装置が設けられた移動通信システムにおける無線基地局の負荷制御方式であって，
前記各無線基地局は複数セクタに対応した複数の無線部と，無線部の制御処理を行う無線制御装置と，前記複数の無線部と前記無線制御装置との接続を切替える無線部スイッチとを備え，
前記無線網制御装置は，無線基地局から配下の携帯端末の数，使用状況，トラフィック状況を定期的に収集して，収集した情報に基づいて無線基地局配下の携帯端末数や必要処理量を予測評価し，一つの無線基地局の処理能力が余剰または不足であると評価されると，それに対応して自局の無線制御装置で処理を行う無線部の数の低減か，増加の指示を行い，
前記指示を受けた無線基地局は，指示に基づいて前記無線部スイッチを制御し，必要なセクタに対応する無線部を自局の無線制御装置に接続し，使用しないセクタに対応する無線部を閉塞することを特徴とする移動通信システムにおける無線基地局の負荷制御方式。
【請求項２】
複数セクタの携帯端末と通信を行う複数の無線基地局の上位に設けられ複数の無線基地局を制御する無線網制御装置が設けられた移動通信システムにおける無線基地局の負荷制御方式であって，
前記各無線基地局は複数セクタに対応した複数の無線部と，無線部の制御処理を行う無線制御装置と，前記複数の無線部と前記無線制御装置との接続を切替えると共に他無線基地局と接続する局間信号路を前記無線部または無線制御装置の何れかとの接続を切替えが可能な無線部スイッチとを備え，
各無線基地局の無線部または無線制御装置の何れかを前記無線部スイッチを介して接続した局間信号路を,他無線基地局からの局間信号路を介した他無線基地局の無線制御装置または無線部の何れかと接続可能に切替える基地局間スイッチを設け，
前記無線制御装置は，各無線基地局からの状態と処理状況とを表すデータを収集し，一方の無線基地局の処理能力が不足して別の無線基地局で処理能力に余裕があることを検出されると，前記一方の無線基地局の一部の無線部を前記基地局間スイッチを介して前記別の無線基地局の無線制御装置と接続するよう，前記２つの無線基地局に指示すると共に前記基地局間スイッチを制御することを特徴とする移動通信システムにおける無線基地局の負荷制御方式。
【請求項３】
請求項１乃至２の何れかにおいて，
前記無線基地局は，前記無線網制御装置からの指示により使用する無線部の数が低減または増加する場合，低減した無線部に対応してセクタ数を減らすか，増加した無線部に対応してセクタ数を増やすようセクタ数の変更に対応してアンテナを最適な向きに調整するティルト制御装置を備えることを特徴とする移動通信システムにおける無線基地局の負荷制御方式。
【請求項４】
請求項１乃至３の何れかにおいて，
前記無線基地局は，前記無線網制御装置からの指示により使用する無線部数の低減または増加に応じて，セクタ数を低減または増加することにより対応するアンテナの入出力を合成する制御を行う無線合成装置を備えることを特徴とする移動通信システムにおける無線基地局の負荷制御方式。
【発明の詳細な説明】
【技術分野】
【０００１】
本発明は，移動通信システムにおける無線基地局の負荷制御方式に関する。
【０００２】
近年，移動通信によるサービスを受ける携帯端末の利用者が増大し，多くの携帯端末による通信量が増大している。ところが，携帯端末による通信量は無線基地局がカバーする地域によってばらつきがあり，更に時間帯によって通信量が変化して，負荷が集中すると無線基地局の処理可能な量を越える場合がある。
【背景技術】
【０００３】
図１０はエリア別の携帯端末の利用状況の説明図である。図１０のＡ．は日中（昼間）の状況，Ｂ．は夜間の状況を示し，それぞれ住宅街とオフィス街における無線基地局（ＢＴＳで表示：Base Transceiver Station) が管轄するエリアにおいて取り扱う携帯端末（ＭＳで表示：Mobile Station) の数の大小を概念的に示している。無線基地局は無線部と制御部（ＣＴＲで表示：コントローラ）とで構成される。Ａ．に示すように日中の住宅街では，多くの利用者が出勤するため携帯端末による通信が少なく無線基地局でのトラフィックが少ない。この時，オフィス街では多くの利用者による携帯端末の通信量が多くなり，その無線基地局のトラフィックが増大する。夜間になるとＢ．に示すように，住宅街でのトラフィックが増大し，オフィス街でのトラフィックが少なくなる。
【０００４】
このような場合，現在は日中と夜間の何れの時間帯をカバーするように住宅街とオフィス街の双方の無線基地局の設備（無線部）を設ける必要がある。しかし，日中と夜間の何れの時間帯のトラフィックを住宅街とオフィス街の双方の無線基地局でカバーするためには，過大なトラフィックに対応した設備（無線部）を設けるためのコストが増大するという問題がある。
【０００５】
一方，携帯端末の無線基地局の技術において，無線基地局の設置されるサービスエリア（都市地域，過疎地域）や時間帯（昼，夜）によりトラフィック量が異なり，通話呼量（トラフィック）の高・低に応じて，扱うサービスエリアの範囲の広・狭を切替えて運用を行うことを可能とする技術がある（特許文献１参照）。
【０００６】
その特許文献１に記載された無線基地局の無線機の構成を図１１に従来技術の構成として示す。図中，５０は無線基地局に設けられたマルチキャリア無線機，５１はベースバンド部，５２は無線部，５３は切替器，５４，５５は直交変調器，５６はスイッチ，５７，５８はＲＦミキサアンプ，５９は合成器，６０は出力端子，６１は入力端子，６２は分配器，６３，６４は受信器，６５は高トラフィック情報である。この構成において，高トラフィック運用時には，小セルに対応し，高トラフィック情報６５がマルチキャリア無線機５０のベースバンド部５１の中の切替器５３に供給されると，切替器５３はスイッチ５６に対してオフ信号を出力してスイッチ５６をオフにする。この時，ベースバンド部５１は，無線部５２について異なる複数の周波数Ａ，Ｂに対応した直交変調器５４，５５によりそれぞれの周波数に対応した処理を行い，それぞれの変調出力はＲＦミキサアンプ５７，５８で増幅され合成器５９で合成されて出力端子６０から出力される。この場合，各周波数Ａ，Ｂの出力は低い電力が発生するため，小セルに対応し，複数の周波数によりトラフィックを多く処理する。
【０００７】
トラフィックが減って，低トラフィック情報が切替器５３に入力されると，スイッチ５６がオンとなる。すると，ベースバンド部５１は無線部５２において直交変調器５４からの周波数ＡのデータをＲＦミキサアンプ５７と５８へ入力し同振幅同位相のＲＦ出力が合成器５９で合成されるため，送信電力が２倍となり高トラフィック時に比べてセルを大きくすることができる。
【特許文献１】特開平１１−２３４７３９号公報
【発明の開示】
【発明が解決しようとする課題】
【０００８】
上記図１１に示す技術は，無線部による送信電力をトラフィックの高・低に対応して小・大となるように切替えることで通信可能なエリア（セル）の大きさを小・大に切替えるものであり，トラフィックの高・低に対応して無線基地局の負荷を調整するものではなく，制御のための負荷処理能力は各無線基地局が備える処理能力の範囲内に抑えられるという問題がある。この場合，処理能力を上げるには制御を行う設備を設ける必要があるが，トラフィックが低い時には無駄になりコストがかかるという問題がある。
【０００９】
本発明は日中と夜間といった時間帯によって無線基地局のエリアによる負荷の変動に対して複数の無線基地局の間で負荷を調整できて，処理資源を有効に利用できる移動通信システムにおける無線基地局の負荷制御方式を提供することを目的とする。
【課題を解決するための手段】
【００１０】
図１は本発明の原理構成を示す図である。図中，１，２は携帯端末と無線による通信を行う無線基地局，３はトラフィックが高い無線基地局から低い無線基地局に負荷をシェアするために両者の接続制御を行う基地局間スイッチ，４は複数の無線基地局１，２の上位に設けられ，それらを制御すると共に他のネットワーク（コアネットワーク）と通信を行う無線網制御装置，４０は制御部，４１は無線網制御装置４が制御する各無線基地局の配下の携帯端末の情報や，処理能力，トラフィック等の情報を格納するデータ保持部である。また，無線基地局１，２内の１０，２０は無線制御装置，１１，２１は無線部スイッチ，１２−１〜１２−４及び２２−１〜２２−４はそれぞれ対応するアンテナの指向性によりカバーするセクタ（ティルト制御で指向性が変化する）に位置する携帯端末と無線による通信を実行する無線部，１３，２３は各アンテナの指向性によりカバーするセクタ（またはエリア）の範囲を変えるためにアンテナの指向性（ティルトという：Tilt) を制御するティルト制御装置，1 ４，２４はセクタに対応して設けられた複数個のアンテナ素子により構成されたアンテナ，１５，２５は他無線基地局の無線部と自局の無線制御装置を接続する局間信号路である。なお，無線基地局１，２内の無線部（１２−１〜１２−４，２２−１〜２２−４）は無線により携帯端末と送受信を行う送受信機能を持ち，無線制御装置１０，２０は制御機能の他にベースバンド処理，スプレッド処理等の機能も備える。
【００１１】
無線基地局１が住宅街に設けられ，無線基地局２がオフィス街に設けられているものとし，日中の時間帯では無線基地局１のトラフィックが減少し，無線基地局２のトラフィックが増大すると，無線基地局１，２の上位の無線網制御装置４は無線基地局から定期的にそれぞれの配下の携帯端末の台数，使用状況，トラフィック量等の情報を収集してデータ保持部４１に格納し，制御部４０でそれらのデータを評価して，配下に位置する携帯端末の数，トラフィックを監視（予測を含む）する。無線網制御装置４が各無線基地局の負荷状態を監視して，無線基地局１のトラフィックが低く，無線基地局２のトラフィックが過大であることを検出した場合，無線基地局２の無線制御装置２０を介して無線部２２−１〜２２−４の中の１または複数（トラフィックの量に応じて異なる）を無線基地局１へ接続可能な局間信号路２５の側へ切替接続するよう無線部スイッチ２１を制御すると共に，無線基地局１の無線部１２−１〜１２−４の中の１または複数（無線基地局２で無線基地局１へ切替え接続される無線部の数に対応）を無線制御装置１０から切離すと共に無線基地局２に接続可能な局間信号路１５を無線制御装置１０へ接続するよう無線部スイッチ１１を制御する。また，無線網制御装置４は無線基地局２の局間信号路２５の無線部の信号を無線基地局１の無線制御装置１０に転送するよう基地局間スイッチ３の切替を行う。また，無線基地局１では切離される１または複数の無線部が処理を行っていたアンテナ１４の中の１または複数のアンテナ素子がカバー（担当）していたセクタ（エリア）を他のアンテナ素子によりカバーするよう無線制御装置１０はティルト制御装置１３を制御して必要なアンテナの傾きを変えて指向性を制御する。こうして，トラフィックが過大な無線基地局２の１または複数の無線部の処理をトラフィックが少ない無線基地局１の無線制御装置１０において実行する。
【００１２】
この後，夜になるとオフィス街の無線基地局２のトラフィックが減って，住宅街の無線基地局１のトラフィックが増加すると，その状況が無線網制御装置４で検出され，昼間の場合とは逆に無線基地局１の無線部の処理を無線基地局２で実行し，無線基地局２の一部の無線部を切離し，ティルト制御装置２３を制御する。これにより，無線基地局１の無線部スイッチ１１，無線基地局２の無線部スイッチ２１を制御し，基地局間スイッチ３も無線基地局１から無線基地局２へ転送するよう切替接続される。
【００１３】
無線網制御装置４は，一つの無線基地局の中の配下の携帯端末が少なく，トラフィックが少ない（処理能力に余裕がある）場合には，その無線基地局内で使用するセクタ数を低減させ，対応する無線部を閉塞し（切離し），配下の携帯端末が増加し，トラフィックが増大した場合に，使用するセクタ数を増加させるように，一つの無線基地局だけを制御する場合もある。なお，セクタ数を低減する場合は，低減したセクタを他のアンテナで担当するためティルト制御装置１３により指向性を制御するが，制御した複数アンテナからの入力を合成したり，複数アンテナへの出力を分岐する手段を用いることができる（図２の実施例に示す）。
【発明の効果】
【００１４】
本発明により無線基地局の無線部を無線制御装置と切り離し，自エリアと他エリアの異なるエリアに切替接続可能とし，無線制御装置を自エリアの負荷が少ない時は負荷の高い他エリアの無線部に接続し，自エリアの負荷が高くなると自エリアの無線部に接続することで負荷をシエアでき，無線基地局の処理資源を有効に使うことができる。
【発明を実施するための最良の形態】
【００１５】
図２は実施例の構成である。図中，１，２，４の各符号は上記図１の同一符号の各部と同じであり，１，２は２つの無線基地局（ＢＴＳで表示：Base Transceiver Station)，４は無線網制御装置（ＲＮＣで表示：Radio Network Controller) であり，３’は無線基地局間の光接続を切替える基地局間光スイッチであり，無線網制御装置４により基地局間光スイッチ３’の方路指定を含む制御が行われる。この実施例では，無線基地局（ＢＴＳ）を２つだけ示すが，実際には２以上の多数個が設けられ，各無線基地局間の信号を伝送するための信号路と基地局間スイッチ３’が設けられ，各無線基地局間の信号を伝送するために設けられている。
【００１６】
各無線基地局１，２内の１０，２０は無線制御装置（ＲＥＣで表示：Radio Equipment Controller) ，１１’，２１’は図１の無線部スイッチ１１，１２に対応する光スイッチ（ＯＰＴＳＷで表示）であり，送受信機（後述する１２’，２２’）と無線制御装置１０，２０との光接続を切替え，方路決定は無線制御装置１０，２０により実行される。１２’−１〜１２’−６及び２２’−１〜２２’−６は各無線基地局１，２内に設けられた６台の送受信機（ＴＲＸ１〜ＴＲＸ６）であり，図１の無線部１２，２２に対応する，１３，２３は各アンテナがカバーするセクタ（エリア）の範囲を変えるためにアンテナ１４，２４を構成する各アンテナ素子の指向性（ティルトという：Tilt) を無線制御装置１０からの指示により調整するティルト制御装置，1 ４，２４は６個（送受信部ＴＲＸ１〜ＴＲＸ６の数に対応）の素子からなるアンテナ，１５，２５は局間信号路，１６，２６は複数アンテナからの受信を合成し１つの無線部へ渡す機能と，１つの無線部からの送信信号を分割して複数のアンテナへ渡す機能を持つ無線合成装置である。なお，無線合成装置１６，２６の合成・分割の対象となるセクタの指定や，合成・分割の実施，及び無線合成装置とアンテナの接続の決定や，無線合成装置と送受信部との接続の決定は無線制御装置１０，２０により行う。
【００１７】
図３は実施例の動作シーケンス例を示す。図３では，無線網制御装置（以下，ＲＮＣという）と一つの無線基地局（以下，ＢＴＳという）の代表として無線基地局１（ＢＴＳ１）の動作シーケンスの例を示す。
【００１８】
通常，各ＢＴＳ（図２の１，２）は定期的にそれぞれの配下の（通信を行っている）携帯端末（以下，単にＭＳという：Mobile Station) 台数，使用状況，トラフィック状況をＲＮＣ（図２の４）に通知する（図３のＳ１）。ＲＮＣでは各ＢＴＳからの通知を受け取ると，定期的に各ＢＴＳのそれぞれの配下のＭＳ台数，使用状況，トラフィック状況を収集して記録し（図３のＳ２），それらの記録データから時間毎の各ＢＴＳの配下のＭＳ量と推移を統計的に予測する（同Ｓ３）。この場合，ＲＮＣには予め，各ＢＴＳが備える設備（稼働可能な設備，送受信機の台数，セクタ数等の処理能力）のデータが保存されている。そして，各ＢＴＳ配下のＭＳ量の評価データを基に各ＢＴＳへの制御を行う（図３のＳ４）。
【００１９】
この評価データにより，あるＢＴＳにおいて配下ＭＳが少なく，隣接するＢＴＳの配下ＭＳも少ないことが分かった場合（これをケースＡという）について説明する（一つのＢＴＳの配下ＭＳが少ないという条件が成立した場合も同じ）。この場合，それらのＢＴＳに対して，使用セクタ数を低減するよう指示する（図３のＳ５）。その場合の具体的な処理内容を説明すると，ＭＳ量予測とＢＴＳからの情報を基に低減予定セクタ数を決定してその数を低減するよう該当するＢＴＳに対して指示する（図３のＳ５０）。更に低減予定セクタに収容されて現在使用中のＭＳにハンドオーバを指示して他のセクタへ移動させる（図３のＳ５１）。ＲＮＣからのセクタ低減の指示を受け取ったＢＴＳは，低減予定セクタ配下のＭＳが無くなることを確認すると低減対象セクタの送受信機を閉塞（切離し）する（図３のＳ６）。次いで，閉塞した送受信機番号と余剰となった処理能力の値をＲＮＣに報告する（図３のＳ７）。この報告を受けたＲＮＣは，各ＢＴＳの閉塞された送受信機番号と余剰処理能力を記録して管理する（図３のＳ８）。
【００２０】
図４は送受信機を閉塞した無線基地局（ＢＴＳ）の状態を示す図である。この状態では６個の送受信部ＴＲＸ１〜ＴＲＸ６の中の１個の送受信部ＴＲＸ１だけが現用として動作し，５個の送受信機ＴＲＸ２〜ＴＲＸ６を閉塞して休止状態とし，無線基地局（ＢＴＳ）の無線制御装置（ＲＥＣ）に余剰処理能力がある状態である。
【００２１】
次に，あるＢＴＳにおいて配下ＭＳが少ないが，隣接するＢＴＳ配下のＭＳが多い場合（これをケースＢという）について説明する。この場合，ＲＮＣ（無線網制御装置）は，上記図３のステップＳ４におけるＭＳ量予測によってセクタ低減をするか判断し，低減する場合は，上記図３のＳ５〜Ｓ８に示す処理が関係するＢＴＳとＲＮＣにおいて実行され，隣接するＢＴＳ（配下のＭＳが多いＢＴＳ）に対しては次のような制御が行われる。
【００２２】
ＲＮＣがあるＢＴＳについてその配下のＭＳ数が増加し，そのＢＴＳでセクタ増設が可能で，且つ余剰処理能力があると上記図３のＳ４において判断した場合（これをケースＣという），ＲＮＣでは図５に示すセクタ数が増設可能で余剰処理能力がある場合の処理フローが実行される。
【００２３】
この場合，ＲＮＣはＢＴＳに対し使用セクタ数を増やす指示を出す（図５のＳ１）。その詳細を説明すると，定期的に収集したデータから，増加予定のＢＴＳ自身の処理能力と増設可能なセクタ数を確認する（図５のＳ１０）。次にＲＮＣはＭＳ量予測とＢＴＳからのトラフィック情報を基に増設セクタ数を決定し（図５のＳ１１），増設予定ＢＴＳが持つ処理能力が増設セクタ分あることがＲＮＣで判別できた場合，該当ＢＴＳに対し決定したセクタ数の増設処理を指示する（同Ｓ１２），これを受けたＢＴＳでは指示されたセクタ数の増設を自身のＢＴＳ内で実行し（同Ｓ２），ＲＮＣに対し増設送受信機番号と処理能力の値を報告する（同Ｓ３）。これを受け取ったＲＮＣでは，図５では省略されているが，上記図３のＳ８と同様に記録等の管理を行う。
【００２４】
このケースＣによる処理を具体例で説明すると，上記図４に示すＢＴＳの状態において，ＲＥＣ（無線制御装置）に処理能力がある時，休止（閉塞）状態にあるセクタに対応した送受信機（ＴＲＸ２〜ＴＲＸ６）の中から要求された個数の送受信機を増設（ＲＥＣに接続して処理を行う）した場合に相当する。
【００２５】
上記のケースＣの場合と異なり，あるＢＴＳの処理能力が不足してセクタ増設が不可能な場合（ケースＤとする）は，以下のような処理が行われる。
【００２６】
ＲＮＣは，あるＢＴＳの処理能力が不足でセクタ増設ができない場合，余剰処理能力のあるＢＴＳを探し，余剰処理能力があるＢＴＳを検出すると，その余剰処理能力を持つＢＴＳのＲＥＣ（無線制御装置）と増設予定（処理能力不足）のＢＴＳの送受信機（ＴＲＸ）とを接続するよう，各ＢＴＳに対して指示を行うと共に，２つのＢＴＳ（余剰処理能力を持つＢＴＳと増設予定のＢＴＳ）を接続する基地局間光スイッチ（図２の３’）を制御する。該当する２つのＢＴＳでは，一方のＢＴＳの送受信機（ＴＲＸ）を他方のＢＴＳのＲＥＣ（無線制御装置）に接続するよう，それぞれの局間信号路（図２の１５，２５）を光スイッチ（図２の１１’，２１’）で切替える。
【００２７】
図６は他の無線基地局で処理を行うよう切替えを行う具体例である。図６のＡ．は切替前の状態で，無線基地局１（ＢＴＳ１）は余剰処理能力が無いが配下ＭＳが増大しているのに対し，無線基地局２（ＢＴＳ２）は余剰処理能力がある場合である。図中，ＴＲＸは送受信機，ＲＥＣは無線制御装置，ＲＮＣは無線網制御装置であり，ＢＴＳ１ではＴＲＸ５，ＴＲＸ６の２台が休止中で，ＢＴＳ２ではＴＲＸ３〜ＴＲＸ６の４台が休止中である。
【００２８】
図６のＡ．の状態の時，無線網制御装置（ＲＮＣ）がＢＴＳ１の処理能力が不足でセクタを増設する必要があり，余剰処理能力がないことを検出し，余剰処理能力のあるＢＴＳを探してＢＴＳ２に余剰処理能力があることを検出すると，各ＢＴＳ１，ＢＴＳ２のそれぞれに対して上記のような指令を出すことで，図６のＢ．に示すようにＢＴＳ１のＴＲＸ５，ＴＲＸ６に対応するセクタの処理をＢＴＳ２のＲＥＣにより処理を行うよう，光スイッチ１１’，２１’及び基地局間光スイッチ３’の切替接続が行われる。
【００２９】
無線基地局におけるセクタ数をアンテナ工事なしで変更する方法について以下に説明する。図７〜図９は無線基地局（ＢＴＳ）におけるセクタ変更の制御動作の説明図（その１）〜（その３）である。
【００３０】
図７は６セクタ運用時を示す。この場合，アンテナ素子は１４−１，１４−２，１４−３，１４−４，１４−５，１４−６の６個であり，各アンテナ素子はそれぞれ一つのセクタＳａ，Ｓｂ，Ｓｃ，Ｓｄ，Ｓｅ，Ｓｆに対応するエリアのＭＳ（携帯端末）と通信を行うよう指向性が調整され，各アンテナ素子による各セクタのＭＳとの通信はそれぞれ送受信機ＴＲＸ１〜ＴＲＸ６により実行される。
【００３１】
図７の状態に対して，６セクタを半減して３セクタとして運用する場合を図８に示す。この場合，無線制御装置（ＲＥＣ）は無線合成装置（図２の１６，２６）に対して隣接するセクタ２つを組みとして合成するよう指示する。無線合成装置は６個のアンテナ素子１４−１〜１４−６からの入力を受け取ると，内部の合成部１６−１，１６−２，１６−３においてそれぞれ２つのアンテナ入力を合成し，無線合成装置の３セクタ分の入出力が送受信機ＴＲＸ１〜ＴＲＸ３に接続し，３セクタとして運用する。この時，無線制御装置（ＲＥＣ）はティルト制御装置（図２の１３）に対して，アンテナを３セクタ運用系に最適な向きへ調整する。また，休止（未使用）となる送受信機ＴＲＸ４〜ＴＲＸ６については閉塞制御後，停止状態に制御することにより消費電力を減らす。
【００３２】
図９は１セクタ運用時を示す。この時，無線制御装置（ＲＥＣ）から無線合成装置１６に対して全てのセクタＳａ〜Ｓｆを１つに合成するよう指示される。無線合成装置１６からは１セクタ分の入出力となるので，これを送受信機ＴＲＸ１に接続し，１セクタとして運用する。また，未使用となる送受信部ＴＲＸ２〜ＴＲＸ６については閉塞制御後，停止状態に制御することにより消費電力を減らす。
【００３３】
上記図７〜図９に示す６セクタ，３セクタ，１セクタだけでなく，他のセクタ数についても同様にアンテナへの入出力を無線合成装置において合成することで，可変セクタでの運用が可能になる。
【００３４】
（付記１）  複数セクタの携帯端末と通信を行う複数の無線基地局の上位に設けられ複数の無線基地局を制御する無線網制御装置が設けられた移動通信システムにおける無線基地局の負荷制御方式であって，前記各無線基地局は複数セクタに対応した複数の無線部と，無線部の制御処理を行う無線制御装置と，前記複数の無線部と前記無線制御装置との接続を切替える無線部スイッチとを備え，前記無線網制御装置は，無線基地局から配下の携帯端末の数，使用状況，トラフィック状況を定期的に収集して，収集した情報に基づいて無線基地局配下の携帯端末数や必要処理量を予測評価し，一つの無線基地局の処理能力が余剰または不足であると評価されると，それに対応して自局の無線制御装置で処理を行う無線部の数の低減か，増加の指示を行い，前記指示を受けた無線基地局は，指示に基づいて前記無線部スイッチを制御し，必要なセクタに対応する無線部を自局の無線制御装置に接続し，使用しないセクタに対応する無線部を閉塞することを特徴とする移動通信システムにおける無線基地局の負荷制御方式。
【００３５】
（付記２）  付記１において，前記無線網制御装置は，前記無線基地局の携帯端末の量と推移の予測で，配下の携帯端末数が少ないと，前記無線基地局へ使用セクタ数の低減を指示し，低減予定のセクタに収容の使用中携帯端末があると，他セクタへのハンドオーバを指示することを特徴とする移動通信システムにおける無線基地局の負荷制御方式。
【００３６】
（付記３）  付記２において，前記無線基地局は，前記使用セクタ数の低減の指示を受け取ると指示されたセクタ数の無線部を閉塞して，閉塞した無線部の情報を前記無線網制御装置に通知することを特徴とする移動通信システムにおける無線基地局の負荷制御方式。
【００３７】
（付記４）  複数セクタの携帯端末と通信を行う複数の無線基地局の上位に設けられ複数の無線基地局を制御する無線網制御装置が設けられた移動通信システムにおける無線基地局の負荷制御方式であって，前記各無線基地局は複数セクタに対応した複数の無線部と，無線部の制御処理を行う無線制御装置と，前記複数の無線部と前記無線制御装置との接続を切替えると共に他無線基地局と接続する局間信号路を前記無線部または無線制御装置の何れかとの接続を切替えが可能な無線部スイッチとを備え，各無線基地局の無線部または無線制御装置の何れかを前記無線部スイッチを介して接続した局間信号路を,他無線基地局からの局間信号路を介して他無線基地局の無線制御装置または無線部の何れかと接続可能に切替える基地局間スイッチを設け，前記無線制御装置は，各無線基地局からの状態と処理状況を表すデータとを収集し，一方の無線基地局の処理能力が不足して別の無線基地局で処理能力に余裕があることを検出されると，前記一方の無線基地局の一部の無線部を前記基地局間スイッチを介して前記別の無線基地局の無線制御装置と接続するよう，前記２つの無線基地局に指示すると共に前記基地局間スイッチを制御することを特徴とする無線基地局の負荷制御方式。
【００３８】
（付記５）  付記１乃至４の何れかにおいて，前記無線基地局は，前記無線網制御装置からの指示により使用する無線部の数が低減または増加する場合，低減した無線部に対応してセクタ数を減らすか，増加した無線部に対応してセクタ数を増やすようセクタ数の変更に対応してアンテナを最適な向きに調整するティルト制御装置を備えることを特徴とする移動通信システムにおける無線基地局の負荷制御方式。
【００３９】
（付記６）  付記１乃至５の何れかにおいて，前記無線基地局は，前記無線網制御装置からの指示により使用する無線部数の低減または増加に応じて，セクタ数を低減または増加することにより対応するアンテナの入出力を合成する制御を行う無線合成装置を備えることを特徴とする移動通信システムにおける無線基地局の負荷制御方式。
【００４０】
（付記７）  付記１乃至６の何れかにおいて，
前記無線基地局は，前記無線網制御装置からの無線部数の低減の指示に応じて未使用となった無線部を閉塞制御した後，停止状態に制御して消費電力を減らすことを特徴とする移動通信システムにおける無線基地局の負荷制御方式。
【図面の簡単な説明】
【００４１】
【図１】本発明の原理構成を示す図である。
【図２】実施例の構成を示す図である。
【図３】実施例の動作シーケンス例を示す図である。
【図４】送受信機を閉塞した無線基地局（ＢＴＳ）の状態を示す図である。
【図５】セクタ数が増設可能で余剰能力がある場合の処理フローを示す図である。
【図６】他の無線基地局で処理を行うよう切替えを行う具体例を示す図である。
【図７】無線基地局（ＢＴＳ）におけるセクタ変更の制御動作の説明図（その１）である。
【図８】無線基地局（ＢＴＳ）におけるセクタ変更の制御動作の説明図（その２）である。
【図９】無線基地局（ＢＴＳ）におけるセクタ変更の制御動作の説明図（その３）である。
【図１０】エリア別の携帯端末の利用状況の説明図である。
【図１１】従来技術の構成を示す図である。
【符号の説明】
【００４２】
１，２        無線基地局
１０，２０    無線制御装置
１１，２１    無線部スイッチ
１２−１〜１２−４  無線部
２２−１〜２２−４  無線部
１３，２３          ティルト制御装置
１４，２４          アンテナ
１５，２５          局間信号路
３            基地局間スイッチ
４            無線網制御装置
４０          制御部
４１          データ保持部
【図１】
2007228213.tif 000003
【図２】
2007228213.tif 000004
【図３】
2007228213.tif 000005
【図４】
2007228213.tif 000006
【図５】
2007228213.tif 000007
【図６】
2007228213.tif 000008
【図７】
2007228213.tif 000009
【図８】
2007228213.tif 000010
【図９】
2007228213.tif 000011
【図１０】
2007228213.tif 000012
【図１１】
2007228213.tif 000013